(57)【特許請求の範囲】
【請求項１】
表示手段と、前記表示手段に表示された画像の一部の輝度及び色の少なくとも一方を測定する測定器と、に接続する制御装置であって、
前記測定器の測定位置に対応する前記表示手段の画面の位置を取得する取得手段と、
前記測定器から取得した前記輝度及び色の少なくとも一方に関する測定値が所定の条件を満たす場合、前記表示手段の前記位置の表示を更新する制御手段と、
を備え、
前記制御手段は、
第２測定位置に所定の画像を表示した状態で前記測定器が取得した第２測定位置に対する第１測定値と、前記測定位置に応じた閾値と、に基づいて、前記測定位置に対応する範囲を決定し、
前記測定位置に前記所定の画像を表示した状態で前記測定器が取得した前記測定位置に対する第２測定値が、前記範囲に含まれる場合に、前記表示手段の前記位置の表示を更新する、
ことを特徴とする制御装置。
【請求項２】
前記測定値が前記所定の条件を満たさない場合、前記取得手段は、前記測定器から測定値を、再度取得する
ことを特徴とする請求項１に記載の制御装置。
【請求項３】
前記範囲は、前記第１測定値から前記閾値を減算した値から、前記第１測定値に前記閾値を加算した値までに含まれる範囲である
ことを特徴とする請求項１または２に記載の制御装置。
【請求項４】
前記閾値は、前記測定位置が前記表示手段の画面の中央から遠いほど大きくなる
ことを特徴とする請求項３に記載の制御装置。
【請求項５】
前記制御手段は、前記測定器から取得した前記輝度及び色の少なくとも一方に関する測定値が前記所定の条件を満たす場合、前記表示手段の前記位置の表示を、測定の完了を示す所定の表示に更新する
ことを特徴とする請求項１〜４のいずれか１項に記載の制御装置。
【請求項６】
表示手段に表示された画像の一部の輝度及び色の少なくとも一方を測定する測定器の測定位置に対応する、前記表示手段の画面の位置を取得する取得ステップと、
前記測定器から取得した前記輝度及び色の少なくとも一方に関する測定値が所定の条件を満たす場合、前記表示手段の前記位置の表示を更新する制御ステップと、
を有し、
前記制御ステップでは、
第２測定位置に所定の画像を表示した状態で前記測定器が取得した第２測定位置に対する第１測定値と、前記測定位置に応じた閾値と、に基づいて、前記測定位置に対応する範囲を決定し、
前記測定位置に前記所定の画像を表示した状態で前記測定器が取得した前記測定位置に対する第２測定値が、前記範囲に含まれる場合に、前記表示手段の前記位置の表示を更新する、
ことを特徴とする制御方法。
【請求項７】
前記測定値が前記所定の条件を満たさない場合、前記取得ステップでは、前記測定器から測定値を、再度取得する
ことを特徴とする請求項６に記載の制御方法。
【請求項８】
前記範囲は、前記第１測定値から前記閾値を減算した値から、前記第１測定値に前記閾値を加算した値までに含まれる範囲である
ことを特徴とする請求項６または７に記載の制御方法。
【請求項９】
前記閾値は、前記測定位置が前記表示手段の画面の中央から遠いほど大きくなる
ことを特徴とする請求項８に記載の制御方法。
【請求項１０】
前記制御ステップでは、前記測定器から取得した前記輝度及び色の少なくとも一方に関する測定値が前記所定の条件を満たす場合、前記表示手段の前記位置の表示を、測定の完了を示す所定の表示に更新する
ことを特徴とする請求項６〜９のいずれか１項に記載の制御方法。
【請求項１１】
請求項６〜１０のいずれか１項に記載の制御方法の各ステップをコンピュータに実行させることを特徴とするプログラム。
【発明の詳細な説明】
【技術分野】
【０００１】
本発明は、制御装置に関する。
【背景技術】
【０００２】
画像表示装置では、部材のバラつき等により、表示ムラが発生する。例えば、液晶表示装置では、液晶層の厚みムラ、カラーフィルタの厚みムラ、光源の発光ムラ、等に起因した表示ムラが発生する。表示ムラを低減する方法として、画像処理により表示ムラを低減する方法、光源の発光を制御することで表示ムラを低減する方法、等が知られている。
【０００３】
また、画像表示装置では、部材の経年劣化により部材の特性が変化する。そして、それにより、画像表示装置の表示特性が変化する。そのため、画像表示装置では、表示特性を補正する補正値を定期的に更新する必要がある。
【０００４】
補正値を更新する方法として、２次元測色器で表示面（画面）の色分布を測定し、測定結果に基づいて補正値を更新する方法が知られている。この方法では、画像表示装置と２次元測色器との間の距離、画像表示装置に対する２次元測色器の傾き、等を調整する必要がある。また、外光の影響を除去するために、暗室環境で測定を行う必要がある。
【０００５】
しかしながら、上記距離や傾きが所望の値となるように装置を設置したり、暗室環境を用意したりするのは、ユーザにとって大きな負担となる。そのため、接触型の測色器を用いて画面内の複数の位置に対する測定を行い、測定結果に基づいて補正値を更新する方法が提案されている。
【０００６】
接触型の測色器を用いた上記方法では、ユーザが測色器を移動させながら測定（測色）が行われるため、正確な測定が行われないことがある。そこで、ユーザの測色操作を補助する方法が提案されている（例えば特許文献１）。特許文献１に開示の技術では、画面に表示されたカラーチャートの測定値が異常値であった場合に、警告情報がカラーチャートに付加されて表示される。それにより、測定値が異常値であることがユーザに視覚的に知らされる。しかしながら、特許文献１に開示の技術では、警告情報が表示されるため、カラーチャートの再測定を警告情報が邪魔してしまう。
【先行技術文献】
【特許文献】
【０００７】
【特許文献１】特開２０１１−１４１２５３号公報
【発明の概要】
【発明が解決しようとする課題】
【０００８】
本発明は、画面内の位置に対して正確な測定が行われたか否かをユーザに容易に把握させることができ、且つ、画面内の各位置についての測定をユーザに効率的に行わせることができる技術を提供することを目的とする。
【課題を解決するための手段】
【０００９】
本発明の第１の態様は、
表示手段と、前記表示手段に表示された画像の一部の輝度及び色の少なくとも一方を測
定する測定器と、に接続する制御装置であって、
前記測定器の測定位置に対応する前記表示手段の画面の位置を取得する取得手段と、
前記測定器から取得した前記輝度及び色の少なくとも一方に関する測定値が所定の条件を満たす場合、前記表示手段の前記位置の表示を更新する制御手段と、
を備え、
前記制御手段は、
第２測定位置に所定の画像を表示した状態で前記測定器が取得した第２測定位置に対する第１測定値と、前記測定位置に応じた閾値と、に基づいて、前記測定位置に対応する範囲を決定し、
前記測定位置に前記所定の画像を表示した状態で前記測定器が取得した前記測定位置に対する第２測定値が、前記範囲に含まれる場合に、前記表示手段の前記位置の表示を更新する、
ことを特徴とする制御装置である。
【００１０】
本発明の第２の態様は、
表示手段に表示された画像の一部の輝度及び色の少なくとも一方を測定する測定器の測定位置に対応する、前記表示手段の画面の位置を取得する取得ステップと、
前記測定器から取得した前記輝度及び色の少なくとも一方に関する測定値が所定の条件を満たす場合、前記表示手段の前記位置の表示を更新する制御ステップと、
を有し、
前記制御ステップでは、
第２測定位置に所定の画像を表示した状態で前記測定器が取得した第２測定位置に対する第１測定値と、前記測定位置に応じた閾値と、に基づいて、前記測定位置に対応する範囲を決定し、
前記測定位置に前記所定の画像を表示した状態で前記測定器が取得した前記測定位置に対する第２測定値が、前記範囲に含まれる場合に、前記表示手段の前記位置の表示を更新する、
ことを特徴とする制御方法である。
【００１１】
本発明の第３の態様は、上述した制御方法の各ステップをコンピュータに実行させることを特徴とするプログラムである。
【発明の効果】
【００１２】
本発明によれば、画面内の位置に対して正確な測定が行われたか否かをユーザに容易に把握させることができ、且つ、画面内の各位置についての測定をユーザに効率的に行わせることができる。
【図面の簡単な説明】
【００１３】
【図１】本実施形態に係る画像表示装置の構成例を示すブロック図
【図２】本実施形態に係るムラ低減処理で使用されるＬＵＴの一例を示す図
【図３】本実施形態に係る測定の様子の一例を示す図
【図４】本実施形態に係る測定部の初期状態が実現される様子の一例を示す図
【図５】本実施形態に係る画像表示装置の処理フローの一例を示すフローチャート
【図６】本実施形態に係る測定の様子の一例を示す図
【図７】本実施形態に係る表示の一例を示す図
【図８】本実施形態に係る表示の一例を示す図
【発明を実施するための形態】
【００１４】
以下、本発明の実施形態について説明する。なお、以下では、本実施形態に係る表示制御装置が画像表示装置に設けられている例を説明するが、表示制御装置は、画像表示装置とは別体の装置であってもよい。
【００１５】
図１は、本実施形態に係る画像表示装置の構成例を示すブロック図である。図１に示すように、本実施形態に係る画像表示装置は、画像補正部１００、表示部１０１、測定部１０２、位置検出部１０３、測定判定部１０４、及び、画像切替部１０５を有する。なお、画像補正部１００、表示部１０１、測定部１０２、位置検出部１０３、測定判定部１０４、及び、画像切替部１０５のそれぞれは、個別のハードウェアであってもよいし、そうでなくてもよい。２つ以上の機能部の機能が、共通のハードウェアによって実現されてもよい。
【００１６】
画像補正部１００は、表示画像（表示部１０１が有する画面に表示された画像）として所望の画像が得られるように、画像補正部１００に入力された画像データＩ１を補正する。それにより、表示画像データＩ２が生成される。本実施形態では、画像補正部１００は、表示ムラ（表示画像における輝度と色の少なくとも一方のムラ）を低減するムラ低減処
理を、画像データＩ１に施す。画像補正部１００の画像処理で使用されるパラメータは、例えば、測定部１０２の測定結果に基づいて調整される。パラメータは、画像表示装置によって調整されてもよいし、画像表示装置とは別体の装置によって調整されてもよいし、ユーザによって調整されてもよい。パラメータは、画像表示装置（表示制御装置）が有する不図示の記憶部に記録されており、画像補正部１００は、パラメータを記憶部から読み出して使用する。
【００１７】
なお、画像補正部１００で行われる画像処理は、ムラ低減処理に限らない。例えば、画像補正部１００で行われる画像処理は、画像の輝度を調整する輝度調整処理、画像の色を調整する色調整処理、表示部１０１の表示特性の変化による表示画像の変化を低減する変化低減処理、等であってもよい。
【００１８】
ムラ低減処理の一例を説明する。ここでは、ムラ低減処理前の階調値と、ムラ低減処理後の階調値との対応関係を表すルックアップテーブル（ＬＵＴ）が、パラメータとして使用される例を説明する。ＬＵＴは、画面内の複数の領域のそれぞれについて用意されている。画面の複数の領域のそれぞれについて、その領域に対応する画像データＩ１が、当該領域に対応するＬＵＴを用いて補正される。
【００１９】
図２は、ムラ低減処理で使用されるＬＵＴの一例を示す。図２は、画像データＩ１と表示画像データＩ２の両方がＲＧＢ画像データ（画素値がＲＧＢ値である画像データ）である場合の例を示す。図２は、画像データＩ１の階調値（Ｒ値、Ｇ値、及び、Ｂ値）と表示画像データＩ２の階調値と両方が８ビットの値（０〜２５５）である場合の例を示す。
【００２０】
なお、画像データＩ１と表示画像データＩ２の画素値はＲＧＢ画像データに限られない。例えば、画像データＩ１と表示画像データＩ２の画素値は、ＹＣｂＣｒ値であってもよい。画像データＩ１のビット数と表示画像データＩ２のビット数とは８ビットより多くても少なくてもよい。画像データＩ１のフォーマットは、表示画像データＩ２のフォーマットと異なっていてもよい。例えば、画像データＩ１の画素値がＹＣｂＣｒ値であり、表示画像データＩ２の画素値がＲＧＢ値であってもよい。画像データＩ１と表示画像データＩ２の一方のビット数が、画像データＩ１と表示画像データＩ２の他方のビット数より多くてもよい。
【００２１】
図２のＬＵＴでは、変換前階調値（Ｒ値、Ｇ値、及び、Ｂ値）に、変換後Ｒ値、変換後Ｇ値、及び、変換後Ｂ値が対応付けられている。画像データＩ１のＲ値は、当該Ｒ値と同じ変換前階調値に対応付けられている変換後Ｒ値に補正される。画像データＩ１のＧ値は、当該Ｇ値と同じ変換前階調値に対応付けられている変換後Ｇ値に補正される。そして、画像データＩ１のＢ値は、当該Ｂ値と同じ変換前階調値に対応付けられている変換後Ｂ値に補正される。図２のＬＵＴでは、変換前階調値２５５に、変換後Ｒ値２４０、変換後Ｇ値２４１、及び、変換後Ｂ値２３９が対応付けられている。そのため、画像データＩ１の画素値（Ｒ値，Ｇ値，Ｂ値）＝（２５５，２５５，２５５）は、画素値（２４０，２４１，２３９）に変換される。
【００２２】
表示部１０１は、表示画像データＩ２に基づく画像を画面に表示する。表示部１０１としては、液晶表示パネル、有機ＥＬ表示パネル、プラズマ表示パネル、ＭＥＭＳ（Ｍｉｃｒｏ  Ｅｌｅｃｔｒｏ  Ｍｅｃｈａｎｉｃａｌ  Ｓｙｓｔｅｍ）シャッター方式表示パネル、等を使用することができる。なお、本実施形態に係る表示制御装置が画像表示装置とは別体の装置である場合には、表示部１０１は、表示制御装置ではなく画像表示装置に設けられる。
【００２３】
測定部１０２は、画面からの光を測定する。例えば、測定部１０２は、光の輝度、光の
色、又は、それらの両方を測定する。図３は、画面からの光が測定部１０２によって測定される様子を示す図である。図３に示すように、測定部１０２の位置は変更可能である。本実施形態では、ユーザが測定部１０２を移動させることで、測定部１０２の位置が変更される。本実施形態では、測定部１０２は、接触型の測定器である。
【００２４】
なお、測定部１０２は、接触型の測定器でなくてもよい。測定部１０２の位置は画面外に変更可能であってもよい。測定部１０２は、画像表示装置（表示制御装置）とは別体の装置であってもよい。画像表示装置（表示制御装置）は、測定部１０２の測定値を取得する第１取得機能を有していればよい。
【００２５】
位置検出部１０３は、測定部１０２によって測定値が取得された画面内の位置である測定位置を検出し、検出した測定位置を示す位置情報を検出結果として出力する。本実施形態では、画面内の基準位置（原点位置）に測定部１０２が置かれた状態が、測定部１０２の初期状態として使用される。図４は、測定部１０２の初期状態が実現される様子を示す図である。まず、基準位置に所定のグラフィック画像（パッチ画像１０８）が表示される。次に、ユーザがパッチ画像１０８の位置に測定部１０２を置くことにより、測定部１０２の初期状態が実現される。そして、位置検出部１０３は、測定部１０２の移動速度を繰り返し検出し、測定部１０２の初期状態と、測定部１０２の移動速度とに基づいて、測定位置（例えば、基準位置に対する測定位置の相対値）を示す情報を位置情報として生成する。
【００２６】
なお、図４の例では、基準位置が画面の中心位置であるが、基準位置はこれに限られない。図４の例では、所定のグラフィック画像がパッチ画像であるが、所定のグラフィック画像はパッチ画像に限られない。例えば、所定のグラフィック画像としてアイコンが使用されてもよい。測定位置の検出方法は特に限定されない。所定のグラフィック画像は、メーカーによって予め定められた固定画像であってもよいし、ユーザが変更可能な画像であってもよいし、動作モード、画像表示装置の設置環境、等に応じた画像であってもよい。測定位置の検出には、様々な既存技術を用いることができる。例えば、マウスなどで利用されている既存技術を用いることができる。位置検出部１０３は、測定位置として画面外の位置を検出可能であってもよい。位置検出部１０３は、画像表示装置（表示制御装置）とは別体の装置であってもよい。画像表示装置（表示制御装置）は、上述した位置情報を取得する第２取得機能を有していればよい。
【００２７】
測定判定部１０４は、測定部１０２から測定値を取得し、位置検出部１０３から位置情報を取得する。そして、測定判定部１０４は、取得した測定値に基づいて、取得した位置情報によって示された測定位置について正確な測定（測定部１０２による正確な測定；画面からの光の正確な測定）が行われたか否かを判定する。本実施形態では、測定判定部１０４は、測定値と所定の閾値とに基づいて上記判定を行う。なお、所定の閾値は、メーカーによって予め定められた固定値であってもよいし、ユーザが変更可能な値であってもよいし、動作モード、画像表示装置の設置環境、等に応じた値であってもよい。
【００２８】
測定判定部１０４の処理の具体例を説明する。ここでは、画面全体において所定の表示が行われているものとする。具体的には、図３に示すように、白色の画素値に応じた表示が画面全体で行われているものとする。
【００２９】
まず、測定判定部１０４は、画面内の所定の位置についての測定値（第１の測定値）と、所定の閾値Ｔｈとに基づいて、下限閾値ＴｈＡと上限閾値ＴｈＢを決定する。所定の位置は特に限定されないが、本実施形態では、所定の位置が画面の中心位置であるとする。所定の位置は、メーカーによって予め定められた固定位置であってもよいし、ユーザが変更可能な位置であってもよいし、動作モード、画像表示装置の設置環境、等に応じた位置
であってもよい。本実施形態では、以下の式１−１のように、第１の測定値から所定の閾値Ｔｈを減算して得られた値が、下限閾値ＴｈＡとして決定される。そして、以下の式１−２のように、第１の測定値に所定の閾値Ｔｈを加算して得られた値が、上限閾値ＴｈＢとして決定される。
下限閾値ＴｈＡ＝中心位置の測定値−閾値  ・・・（式１−１）
上限閾値ＴｈＢ＝中心位置の測定値＋閾値  ・・・（式１−２）
【００３０】
そして、測定判定部１０４は、取得した測定値が下限閾値ＴｈＡよりも大きく、且つ、当該測定値が上限閾値ＴｈＢよりも小さい場合に、取得した位置情報によって示された測定位置について正確な測定が行われたと判定する。一方、測定判定部１０４は、取得した測定値が下限閾値以下である場合と、当該測定値が上限閾値以上である場合とにおいて、取得した位置情報によって示された測定位置について正確な測定が行われなかったと判定する。正確でない測定は、例えば、測定部１０２が画面から離れることに起因する。
【００３１】
なお、第１の測定値の取得方法は特に限定されない。例えば、所定の位置が基準位置であり、且つ、測定部１０２の初期状態の実現時に基準位置で所定の表示が行われる場合には、測定部１０２の初期状態の実現時に得られた測定値を、第１の測定値として使用することができる。また、所定の表示は白色の画素値に応じた表示に限らない。例えば、所定の表示は、白色の画素値とは異なる所定の画素値に応じた表示であってもよい。所定の表示は、所定の輝度と、所定の色との少なくとも一方を有する画素値に応じた表示であってもよい。所定の表示は、複数の画素値を順番に切り替える表示であってもよい。
【００３２】
なお、測定の判定方法は特に限定されない。上記方法（式１−１，１−２によって得られた閾値ＴｈＡ，ＴｈＢを用いた方法）は、所定の位置での表示に近づくように表示ムラを低減するムラ低減処理が行われる場合に好適に利用できる。閾値Ｔｈの代わりに、閾値ＴｈＡ，ＴｈＢが予め定められていてもよい。測定の判定に閾値が使用されなくてもよい。測定の判定には、様々な既存技術を用いることができる。
【００３３】
画像切替部１０５は、測定判定部１０４から測定の判定結果を取得する。判定結果は、例えば、位置検出部１０３によって生成された位置情報に、正確な測定が行われたか否かを示す情報を付加した情報である。そして、画像切替部１０５は、測定位置について正確な測定が行われたと判定されたことに応じて、当該測定位置の表示を変更する表示制御を行う。具体的には、画像切替部１０５は、画像データＩ１を生成し、生成した画像データＩ１を出力する。そして、画像切替部１０５は、測定位置について正確な測定が行われたと判定されたことに応じて、当該測定位置に対応する画像データＩ１の画素値を変更することにより、画像データＩ１を更新する。それにより、上記表示制御が実現される。
【００３４】
なお、変更後の表示は特に限定されない。例えば、変更後の表示は、変更前の輝度とは異なる輝度と、変更前の色とは異なる色との少なくとも一方の画素値に応じた表示である。画像切替部１０５は、画像データＩ１として任意の画像データを出力可能であってもよい。任意の画像データは、例えば、画像表示装置（表示制御装置）に入力された画像データである。
【００３５】
本実施形態に係る画像表示装置の処理フローの一例について、図５のフローチャートを用いて説明する。なお、以下では、簡単のために、所定の位置と基準位置が画面の中心位置であり、所定の表示が白色の画素値に応じた表示であり、画面全体の領域から所定の位置を除いた領域が測定領域であるとする。測定領域は、測定部１０２による測定の対象である。また、以下では、簡単のために、上述した表示制御による変更後の表示が所定の表
示（白色の画素値に応じた表示）であり、当該表示制御による変更後の表示が黒色の画素値に応じた表示であるとする。さらに、以下では、測定部１０２の測定値が輝度（ｃｄ／ｍ２）であり、所定の閾値Ｔｈが５０ｃｄ／ｍ２であるとする。なお、変更前の表示は、所定の表示に限られない。例えば、変更前の表示は、任意の画像データに基づく表示であってもよい。
【００３６】
まず、Ｓ１００にて、画像切替部１０５は、画面内の所定の位置での表示として所定の表示を得る表示制御を行う。具体的には、画像切替部１０５は、画像データＩ１として、画像の中心位置に白色のパッチ画像が配置された画像データを生成し、生成した画像データＩ１を出力する。ここで、白色のパッチ画像の画素値以外の画像値が白色の画素値と異なっていれば、白色のパッチ画像の画素値以外の画像値はどのような画素値であってもよい。本実施形態では、白色のパッチ画像の画素値以外の画像値として、黒色の画素値が使用される。
【００３７】
Ｓ１００の結果、画面の中心位置に白色のパッチ画像が表示される。それにより、白色のパッチ画像の位置への測定部１０２の移動を、ユーザに促すことができる。また、Ｓ１００の結果、パッチ画像が表示された領域以外の領域で黒色の画素値に応じた表示が行われる。白色のパッチ画像の位置に測定部１０２が置かれた後、Ｓ１０１へ処理が進められる。白色のパッチ画像の位置に測定部１０２が置かれたか否かの判定方法は特に限定されない。例えば、所定時間（５秒、１０秒、１５秒、等）だけ経過した後、白色のパッチ画像の位置に測定部１０２が置かれたと判定され、Ｓ１０１へ処理が進められてもよい。
【００３８】
Ｓ１０１にて、測定部１０２により、画面の中心位置についての測定値（白色のパッチ画像の測定値；第１の測定値）ＭＡが得られる。ここでは、測定値ＭＡとして５００ｃｄ／ｍ２が得られたとする。
【００３９】
次に、Ｓ１０２にて、画像切替部１０５は、所定の位置の表示を変更し、且つ、測定領域（画面全体から所定の位置を除いた領域）での表示として所定の表示を得る表示制御を行う。具体的には、画像切替部１０５は、パッチ画像の画素値が黒色の画素値に変更され、且つ、残りの画素値が白色の画素値に変更されるように、画像データＩ１を更新する。その結果、画面の中心位置で黒色の画素値に応じた表示が行われ、残りの位置で白色の画素値に応じた表示が行われる。
【００４０】
そして、Ｓ１０３にて、測定部１０２により、測定領域内の位置である測定位置についての測定値（第２の測定値）ＭＢが得られる。また、位置検出部１０３により、測定位置が検出される。
【００４１】
次に、Ｓ１０４にて、測定判定部１０４は、所定の閾値Ｔｈ、測定値ＭＡ、及び、測定値ＭＢに基づいて、測定値ＭＢの測定（測定値ＭＢを取得する測定）が正確に行われたか否かを判定する。具体的には、以下の式２が満たされるか否かが判定される。式２が満たされている場合には、測定値ＭＢの測定が正確に行われたと判定され、Ｓ１０５に処理が進められる。式２が満たされていない場合には、測定値ＭＢの測定が正確に行われなかったと判定され、Ｓ１０３に処理が戻される。
測定値ＭＡ−閾値Ｔｈ＜測定値ＭＢ＜測定値ＭＡ＋閾値Ｔｈ  ・・・（式２）
【００４２】
図６は、画面からの光が測定部１０２によって測定される様子を示す図である。図６の例では、画面の中心位置に対する測定が行われた後に、ユーザが、測定部１０２を左側に移動させている。例えば、Ｓ１０３では、図６の右側の状態での測定値（画面の中心位置
よりも左側の位置についての測定値；白色の測定値）が、測定値ＭＢとして得られる。本実施形態では、測定値ＭＡは５００ｃｄ／ｍ２であり、閾値Ｔｈは５０ｃｄ／ｍ２である。そのため、Ｓ１０４では、４５０ｃｄ／ｍ２よりも大きく且つ５５０ｃｄ／ｍ２よりも小さい測定値ＭＢが得られた場合に、測定値ＭＢの測定が正確に行われたと判定される。例えば、測定値ＭＢが４９０ｃｄ／ｍ２である場合に、測定値ＭＢの測定が正確に行われたと判定される。そして、測定値ＭＢが４５０ｃｄ／ｍ２以下である場合と、測定値ＭＢが５５０ｃｄ／ｍ２以上である場合とにおいて、測定値ＭＢの測定が正確に行われなかったと判定される。例えば、測定値ＭＢが４００ｃｄ／ｍ２である場合に、測定値ＭＢの測定が正確に行われなかったと判定される。
【００４３】
Ｓ１０５にて、画像切替部１０５は、測定値ＭＢの測定位置の表示として、黒色の画素値に応じた表示が行われるように、画像データＩ１を更新する。具体的には、測定値ＭＢの測定位置に対応する画像データＩ１の画素値が、白色の画素値から黒色の画素値に更新される。Ｓ１０５の処理は、測定値ＭＢの測定が正確に行われたと判定された場合に行われる。測定値ＭＢの測定が正確に行われなかったと判定された場合には、Ｓ１０５の処理は行われずに、Ｓ１０４からＳ１０３へ処理が戻される。そのため、測定値ＭＢの測定が正確に行われたと判定された場合に、測定値ＭＢの測定位置の表示が、白色の画素値に応じた表示から黒色の画素値に応じた表示に変更される。そして、測定値ＭＢの測定が正確に行われたと判定された場合には、測定値ＭＢの測定位置の表示は、白色の画素値に応じた表示のまま維持される。
【００４４】
図７（Ａ），７（Ｂ）は、測定値ＭＢの測定が正確に行われたか否かの判定後の表示の一例を示す。図７（Ａ），７（Ｂ）は、図６の右側の状態での測定が正確に行われたか否かの判定後の表示を示す。図７（Ａ）は、測定が正確に行われたと判定された場合を示し、図７（Ｂ）は、測定が正確に行われなかったと判定された場合を示す。図７（Ａ）では、測定が正確に行われたと判定されたため、測定部１０２が置かれた位置の表示が、白色の表示から黒色の表示に変更されている。ユーザは、黒色の表示に表示が変更されたことを確認することで、測定が正確に行われたことを容易に把握することができる。図７（Ｂ）では、測定が正確に行われなかったと判定されたため、測定部１０２が置かれた位置の表示が、白色の表示のまま維持されている。ユーザは、白色の表示が維持されていることを確認することで、測定が正確に行われていないことを容易に把握することができる。その結果、測定が正確に行われていない位置への測定部１０２の移動をユーザに促すことができ、画面内の各位置についての測定をユーザに効率的に行わせることができる。
【００４５】
次に、Ｓ１０６にて、測定部１０２による測定が完了したか否かが判定される。Ｓ１０６の処理は、例えば、画像表示装置（表示制御装置）が有する不図示の判定部によって行われる。測定が完了していないと判定された場合には、Ｓ１０３に処理が戻され、測定が完了したと判定された場合には、本フローチャートが終了される。なお、測定が完了したか否かの判定方法は特に限定されない。例えば、受付期間（Ｓ１０３の処理が行われたタイミングから所定時間だけ経過するまでの期間）に測定操作（測定の実行を指示するユーザ操作）が行われた場合に、測定が完了していないと判定されてもよい。そして、受付期間に測定操作が行われなかった場合に、測定が完了したと判定されてもよい。終了操作（測定の終了を指示するユーザ操作）が行われるまで、測定が完了していないと判定され、終了操作が行われた場合に、測定が完了したと判定されてもよい。測定領域全体の画素値が黒色の画素値に変更されるまで、測定が完了していないと判定され、測定領域全体の画素値が黒色の画素値に変更された場合に、測定が完了したと判定されてもよい。
【００４６】
以上述べたように、本実施形態によれば、測定位置について正確な測定が行われたと判定されたことに応じて、測定位置の表示が変更される。それにより、画面内の位置に対して正確な測定が行われたか否かをユーザに容易に把握させることができ、且つ、画面内の
各位置についての測定をユーザに効率的に行わせることができる。
【００４７】
なお、上述した具体的な構成（処理）は、あくまで一例であり、本発明の要旨の範囲内で上述した構成を適宜変形したり変更したりすることにより得られる構成も、本発明に含まれる。
【００４８】
例えば、所定の位置についての測定値は、他の位置についての測定の判定に使用されなくてもよい。その場合には、図５のＳ１００やＳ１０１の処理が省略され、測定領域での表示として所定の表示を得る表示制御がＳ１０２にて行われてもよい。また、測定領域は所定の位置を含んでいてもよい。測定領域は、画面の一部の領域であってもよいし、画面全体の領域（画面の全部の領域）であってもよい。画像表示装置（表示制御装置）が、ユーザ操作に応じて測定領域を設定する設定部をさらに有していてもよい。測定に時間を要する場合などにおいては、測定領域として小さい領域が設定されることが好ましい。Ｓ１０３〜Ｓ１０５の処理は、測定位置が測定領域内の位置である場合に限って行われてもよいし、そうでなくてもよい。
【００４９】
所定の閾値は、測定位置の変化に応じて変化するように定められていてもよい。例えば、画像表示装置では、表示ムラの傾向が予め決まっていることが多い。そのため、表示ムラの傾向を考慮して、測定位置の変化に応じて変化する閾値Ｔｈが予め定められていてもよい。具体的には、画像表示装置では、表示画像の輝度ムラを低減する処理として、画面の中心部の輝度に近づくように画面の他の部分（周辺部）の輝度を高める処理が行われることが多い。この場合、周辺部の経年劣化は中心部の経年劣化よりも速い速度で進み、経年劣化により、周辺部の輝度が中心部の輝度に比べて低い輝度ムラが発生する。
【００５０】
図８は、上述した経年劣化後の表示の一例を示す。図８の例では、周辺部の輝度が中心部の輝度に比べて低い輝度ムラが示されている。測定位置に依存しない値が閾値Ｔｈとして使用された場合、周辺部が正確に測定されているにも拘らず、周辺部が正確に測定されなかったと誤判定され、測定が完了できなかったり、測定回数が増加したりしてしまう。そのため、周辺部に対する測定の判定において、中央部に対する測定の判定で使用される閾値よりも大きい閾値が閾値Ｔｈとして使用されるように、測定位置に応じて閾値Ｔｈが変更されることが好ましい。それにより、測定をより高精度に判定することができる。具体的には、上述した誤判定を抑制することができ、測定が完了できなかったり、測定回数が増加したりすることを抑制することができる。
【００５１】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５２】
１０２：測定部  １０３：位置検出部  １０４：測定判定部  １０５：画像切替部
【図１】
0006643107.tif 000002
【図２】
0006643107.tif 000003
【図３】
0006643107.tif 000004
【図４】
0006643107.tif 000005
【図５】
0006643107.tif 000006
【図６】
0006643107.tif 000007
【図７】
0006643107.tif 000008
【図８】
0006643107.tif 000009